(57)【要約】【課題】呼吸状態の測定を中断した原因が分かる呼吸状態監視装置及び呼吸状態監視システムを提供すること。【解決手段】ステッフ゜１００では、測定開始スイッチ４１がオンされたか否かを判定する。ステッフ゜１１０では、測定開始時刻及びモードを、フラッシュメモリ５５に記録する。ステッフ゜１２０では、呼吸センサ１からの検出信号のデータをフラッシュメモリ５５に記録する。ステッフ゜１３０では、バッテリ６９の電圧が電圧Ｅ２以下に低下したか否かを判定する。ステッフ゜１４０では、電圧Ｅ２以下となった時刻及びモードを、フラッシュメモリ５５に記録する。ステッフ゜１５０では、測定開始スイッチ４１がオフされたか否かを判定する。ステッフ゜１６０では、測定終了時刻及びモードを、フラッシュメモリ５５に記録する。【選択図】  図５
2007190197.tif 000002
【特許請求の範囲】
【請求項１】
生体の呼吸状態に対応した信号を出力する呼吸センサが装着されて、該呼吸センサからの信号に基づいて前記呼吸状態の測定が行われる呼吸状態監視装置であって、
前記呼吸状態監視装置を駆動するバッテリと前記呼吸状態監視装置の動作状態を記録するメモリとを備えるとともに、
前記呼吸状態の測定の開始後に、前記バッテリの電圧が所定値以下に低下した場合には、前記バッテリの電圧が低下した時刻を前記メモリに記録することを特徴とする呼吸状態監視装置。
【請求項２】
前記メモリに前記バッテリの電圧が低下した時刻を記録する場合には、その記録する時刻が前記バッテリの電圧が低下した時刻であることを示すモードデータも記録することを特徴とする請求項１に記載の呼吸状態監視装置。
【請求項３】
前記呼吸状態の測定の停止又は終了後に、所定のデータ要求動作に応じて、前記バッテリの電圧が低下した時刻のデータを出力することを特徴とする請求項１又は２に記載の呼吸状態監視装置。
【請求項４】
前記請求項１〜３のいずれかの呼吸状態監視装置に前記呼吸センサを装着したことを特徴とする呼吸状態監視システム。
【発明の詳細な説明】
【技術分野】
【０００１】
本発明は、圧電フィルム等を用いて、例えば睡眠時などの呼吸の正常・異常やいびきなどの呼吸状態を調べることができる呼吸状態監視装置及び呼吸状態監視システムに関する。
【背景技術】
【０００２】
従来より、人の呼吸の状態を調べる技術として、口元にサーミスタを貼り付ける技術が知られている。また、体の動きを圧電素子で検出し、その検出結果から呼吸の状態を調べる技術も知られている。
【０００３】
更に、近年では、圧電素子であるＰＶＤＦ（ポリフッ化ビニリデン）フィルムからなる呼吸センサを、被験者（患者）の口に貼り付け、その検出信号から呼吸を検出する技術も開示されている（特許文献１、２参照）。
【０００４】
この特許文献１、２の技術により、患者の睡眠中の呼吸データから、例えば睡眠無呼吸症候群を検出することが可能である。
【特許文献１】特開２０００−３１２６６９号公報
【特許文献２】特開２００５−１３７４７９号公報
【発明の開示】
【発明が解決しようとする課題】
【０００５】
しかしながら、上述した引用文献１、２の技術では、呼吸センサをマイコン等が内蔵された装置本体に装着して呼吸状態を測定することが可能であるが、例えば睡眠中の測定の際に、装置本体を駆動するバッテリの電圧が低下した場合（バッテリが切れた場合）には、不都合が生じすることがあった。
【０００６】
つまり、呼吸センサから得られた信号のデータは、装置本体のメモリに記憶されるが、患者が装置の電源等の作動スイッチを切った場合だけでなく、バッテリ電圧が低下した場合にも、その後のデータの記録ができない。そのため、患者が装置の作動スイッチを切った場合なのかバッテリ電圧が低下した場合なのか判定ができず、データの解析に支障があるという問題があった。
【０００７】
本発明は以上の点に鑑みてなされたものであり、呼吸状態の測定を中断した原因が分かる呼吸状態監視装置及び呼吸状態監視システムを提供することを目的とする。
【課題を解決するための手段】
【０００８】
（１）請求項１の発明は、生体の呼吸状態（例えば呼吸の有無やいびき）に対応した信号を出力する呼吸センサが（例えば着脱可能に）装着されて、該呼吸センサからの信号に基づいて前記呼吸状態の測定が行われる呼吸状態監視装置に関するものである。
【０００９】
特に本発明では、呼吸状態監視装置を駆動するバッテリと呼吸状態監視装置の動作状態を記録するメモリとを備えており、呼吸状態の測定の開始後に、バッテリの電圧が所定値以下に低下した場合には、バッテリの電圧が低下した時刻をメモリに記録する。
【００１０】
これにより、バッテリの電圧が低下した時刻が分かるので、メモリに記録されたデータが中断した場合でも、その中断が、バッテリの電圧の低下によるものか患者等が電源等のスイッチを切ったものによるものかが容易に分かる。従って、データを解析する場合に、その解析の信頼性等を高めることができる。
【００１１】
尚、前記メモリは、バッテリが切れた場合でもデータを保持できるメモリであり、例えばフラッシュメモリ等の不揮発性メモリや、別途電池でバックアップされたＳＲＡＭ等の揮発性メモリなどを使用できる。
【００１２】
（２）請求項２の発明は、前記メモリに前記バッテリの電圧が低下した時刻を記録する場合には、その記録する時刻が前記バッテリの電圧が低下した時刻であることを示すモードデータも記録することを特徴とする。
【００１３】
本発明では、メモリにバッテリの電圧が低下した時刻を記録する場合には、その時刻だけでなく、その時刻のデータが、バッテリの電圧が低下した時刻であることを示すデータも記録するので、時刻のデータの種類を明確に把握することができる。
【００１４】
（３）請求項３の発明は、前記呼吸状態の測定の停止又は終了後に、所定のデータ要求動作（指令信号等）に応じて、前記バッテリの電圧が低下した時刻のデータを出力することを特徴とする。
【００１５】
これにより、必要に応じて、簡単に装置からデータを取り出すことができる。尚、時刻のデータを取り出す際には、前記モードデータも取り出すこともできる。
（４）請求項４の発明は、請求項１〜３のいずれかの呼吸状態監視装置に呼吸センサを装着した呼吸状態監視システムである。
【００１６】
つまり、呼吸状態監視装置に呼吸センサを装着した呼吸状態監視システムを用いることにより、呼吸状態を測定することができる。
【発明を実施するための最良の形態】
【００１７】
次に、本発明を実施するための最良の形態の例（実施例）について説明する。
【実施例１】
【００１８】
本実施例の呼吸状態監視システムは、多くの被験者に対して、その呼吸の異常を抽出（スクリーニング）するために用いられるものである。
ａ）まず、本実施例の呼吸状態監視システムを、図１〜図３を用いて説明する。
【００１９】
図１及び図２に示す様に、本実施例の呼吸状態監視システム（睡眠時無呼吸スクリーナ）は、呼吸状態、詳しくは睡眠時の呼吸の有無を検出するためのシステムであり、被験者に取り付けられる呼吸センサ１と、呼吸センサ１が着脱可能に取り付けられて、呼吸センサ１からの信号を記録する呼吸状態監視装置３とから構成されている。
【００２０】
前記呼吸センサ１は、略Ｔ字形状のセンサ本体５と、センサ本体５の左右の下端を連結する連結部７と、センサ本体５から伸びる一対のリード線９、１１と、リード線９、１１の先端に取り付けられたセンサ側コネクタ１３（図２参照）とから構成されている。
【００２１】
このうち、センサ本体５は、中央部にて（図１の手前方向に）山形に折り曲げられた薄肉のフィルム状の部材であり、口及び鼻からの息を検出するための呼吸検出部１５と、呼吸検出部１５の左右の両端から突出する一対の脚部１７、１９とから構成されている。
【００２２】
前記センサ本体５は、略Ｔ字状の例えばポリエステルからなるフィルム状の基材２１と、基材２１の山形の斜面の内側に貼り付けられた長方形の圧電素子（例えばピエゾ素子）２３とからなる。また、呼吸検出部１５は、図１の手前の方向に凸の山形となるように折り曲げられ、口からの息が当たってその流れが遮られるように口からの息のかかる方向に対向するとともに、鼻からの息が流れる方向と並行となっている。
【００２３】
一方、前記呼吸状態監視装置３は、腕等に装着可能なような軽量な装置であり、図３に示す様に、略直方体のプラスチック製の筐体２５と、その内部に収容された電子制御装置２７（図４参照）とを備えている。
【００２４】
この呼吸状態監視装置３の上面には、センサ側コネクタ１３が嵌め込まれる装置側上コネクタ（モジュラージャック）２９が設けられ、第１〜第４ＬＥＤ３１〜３７が半透明のカバー３９に覆われて配置されている。
【００２５】
また、呼吸状態監視装置３の左側面には、呼吸状態の測定（監視）の開始や終了のオン・オフを行う測定開始スイッチ４１が配置されている。
更に、呼吸状態監視装置３の下面には、呼吸状態監視装置３をベース装置（図示せず）に接続するために、装置側下コネクタ（Ｄ−ＳＵＢコネクタ）４５が配置されている。
【００２６】
ｂ）次に呼吸状態監視装置３の構造について、図４を用いて説明する。
図４に示す様に、呼吸状態監視装置３の電子制御装置２７として、周知のＡ／Ｄ内蔵マイコン４９、内蔵のバッテリ（充電池）６９で別経路でバックアップされたリアルタイムクロック５１、不揮発性メモリ５３、フラッシュメモリ５５、シリアル通信回線５７を備えるとともに、チャージアンプ（ＡＭＰ）５９、ゲイン１倍ＡＭＰ６１、ゲイン２倍ＡＭＰ６３を備えている。
【００２７】
このうち、チャージＡＭＰ５９は、通常、圧電素子２３からの信号を増幅するために用いられるものであり、ゲイン１倍ＡＭＰ６１は、チャージＡＭＰ５９からの出力のゲインを１倍にするためのものであり、ゲイン２倍ＡＭＰ６３は、チャージＡＭＰ５９からの出力のゲインを２倍にするためのものである。
【００２８】
そして、前記Ａ／Ｄ内蔵マイコン４９は、バッテリ切れ表示器６５の第１ＬＥＤ３１、呼吸フロー表示器６７の第２〜第４ＬＥＤ３３〜３７に接続されている。
また、バッテリ６９は、前記Ａ／Ｄ内蔵マイコン４９に接続され、バッテリ６９の電圧が検出できるようにされている。従って、後述するように、バッテリ６９の電圧が低下し、呼吸状態を示すデータ、詳しくは呼吸センサからの検出信号（呼吸信号：電圧のデータ）が、フラッシュメモリ５５に書き込めない様な電圧Ｅ１となる所定の直前の電圧Ｅ２（Ｅ１＜Ｅ２）以下となると、バッテリ６９の電圧が前記電圧Ｅ２になった時刻とその時刻の意味を示すデータ（モード）とを、フラッシュメモリ５５に書き込む。
【００２９】
尚、バッテリ切れ表示器６５の第１ＬＥＤ３１は、バッテリ６９の電圧が低下すると、電圧が低下したことを患者等に報知するためのランプであり、例えばバッテリ６９の電圧が前記Ｅ２或いはそのＥ２より高い所定の電圧Ｅ３となった場合に点灯する。
【００３０】
更に、第２〜第４ＬＥＤ３３〜３７は、呼吸状態に応じて点滅するランプであり、第３ＬＥＤ３５は呼吸センサ１が呼吸状態監視装置３に接続されると点灯し、第２ＬＥＤ３３は息が吸われと点灯し、第４ＬＥＤ３７は息が吐かれると点灯する。これにより、呼吸が行われている場合には、第２〜第４ＬＥＤ３３〜３７が、順次点滅を繰り返すことになる。
【００３１】
ｃ）次に、Ａ／Ｄ内蔵マイコン４９にて行われる処理（バッテリ状態記録処理）について、図５を用いて説明する。
このバッテリ状態記録処理は、バッテリ６９の電圧が所定の低い電圧（バッテリ切れを示す電圧）Ｅ２以下に低下した場合に、その時刻を記録するための処理である。
【００３２】
具体的には、図５のフローチャートに示す様に、ステップ（Ｓ）１００では、測定開始スイッチ４１がオンされたか否かを判定する。ここで、肯定判断されると、ステップ１１０に進み、一方、否定判断されると待機する。
【００３３】
ステップ１１０では、測定開始スイッチ４１がオンされたので、測定開始時刻を、フラッシュメモリ５５に記録するとともに、記録した時刻の意味、即ちこの時刻が測定開始時刻であることを示すモードデータ（ソフトバージョン（Ｖ０１））も、併せて記録する。
【００３４】
続くステップ１２０では、呼吸センサ１からの検出信号のデータ、詳しくは０．１秒毎の電圧信号を、順次フラッシュメモリ５５に記録する。
続くステップ１３０では、バッテリ６９の電圧が前記電圧Ｅ２以下に低下したか否かを判定する。ここで肯定判断されるとステップ１４０に進み、一方否定判断されるとステップ１５０に進む。
【００３５】
ステップ１４０では、バッテリ６９の電圧が、しばらくするとバッテリ６９が極めて低減圧の好ましくない状態、即ち、フラッシュメモリ５５にデータを書き込めない様な電圧Ｅ１以下となるので、前記電圧Ｅ２以下となった時刻を、バッテリ切れの時刻としてフラッシュメモリ５５に記録する。それとともに、記録した時刻の意味、即ちこの時刻がバッテリ切れの時刻であることを示すモードデータ（ＢＡＴ）も、併せて記録し、一旦本処理を終了する。
【００３６】
一方、ステップ１５０では、測定開始スイッチ４１がオフされたか否か、即ち、患者等によりスイッチが切られたか否かを判定する。ここで、肯定判断されるとステップ１６０に進み、一方、否定判断されると前記ステップ１２０に戻る。
【００３７】
ステップ１６０では、測定開始スイッチ４１がオフされたので、測定終了時刻をフラッシュメモリ５５に記録するとともに、記録した時刻の意味、即ちこの時刻が測定終了時刻であることを示すモードデータ（ＯＦＦ）も併せて記録し、一旦本処理を終了する。
【００３８】
尚、バッテリ６９が切れると、測定開始スイッチ４１の操作のオフの操作にかかわらず、本処理は終了する。
また、呼吸状態の測定の停止又は終了後に、外部装置からの所定のデータ要求動作に応じて、バッテリ６９の電圧が低下した時刻のデータ及びモードデータを出力することができる。
【００３９】
この様に、本実施例では、バッテリ６９の電圧が低下した場合には、その時刻をモードデータとともに記録するので、呼吸データの記録が中断したときであっても、その中断の原因を的確に把握することができる。よって、呼吸データの解析を的確に行うことができるので、解析精度が向上するという効果がある。
【００４０】
また、測定終了後には、例えば第２及び第４ＬＥＤ３３、３７が所定の明るさ（例えば初期設定の明るさ）で点滅することにより、被検者に測定が終了したことを伝えることができる。これにより、起床後、正常に測定が終了したことが分かるとともに、呼吸センサ１のセンサ側コネクタ１３の抜き忘れを防止することができる。
【００４１】
更に、不揮発性メモリ５３に、装置固有の番号を記憶し、その番号を検査後の解析時に読み出すことにより、測定データの判別、即ちどの装置のデータか（誰のデータか）を自動的に行うことが可能である。尚、この不揮発性メモリ５３としては、ＥＥＰＲＯＭを使用することができる。
【００４２】
尚、本発明は前記実施例に何ら限定されることなく、本発明の技術的範囲を逸脱しない限り、種々の態様で実施できることはいうまでもない。
【図面の簡単な説明】
【００４３】
【図１】実施例の呼吸状態監視システムを示す説明図である。
【図２】呼吸センサの呼吸状態監視装置への装着状態を示す説明図である。
【図３】呼吸状態監視装置を示し、（ａ）は上面図、（ｂ）は正面図、（ｃ）は底面図、（ｄ）は左側面図、（ｅ）は背面図である。
【図４】呼吸状態監視装置の電気的構成を示すブロック図である。
【図５】呼吸状態監視装置のバッテリ状態記録処理を示すフローチャートである。
【符号の説明】
【００４４】
１・・・呼吸センサ
３・・・呼吸状態監視装置
５・・・センサ本体
１３・・・センサ側コネクタ
２９・・・装置側上コネクタ
２３・・・圧電素子
３１、３３、３５、３７・・・ＬＥＤ
４１・・・測定開始スイッチ
４９・・・Ａ／Ｄ内蔵マイコン
５５・・フラッシュメモリ
６９・・バッテリ
【図１】
2007190197.tif 000003
【図２】
2007190197.tif 000004
【図３】
2007190197.tif 000005
【図４】
2007190197.tif 000006
【図５】
2007190197.tif 000007